(57)【要約】      （修正有）【課題】演奏が行われている時刻や時間に適した演奏環境を自動的に設定することができる電子楽器を提供する。【解決手段】楽器本体に設けられ、時間を計測するタイマ１５と、タイマ１５で計測された時間に応じて、演奏環境を設定するＣＰＵ６とを備えている。タイマ１５は、時間として、時刻および演奏時間の少なくとも一方を計測し、ＣＰＵ６は、当該計測された時刻および演奏時間の少なくとも一方に応じて、電子オルガン１０から発音される楽音の音質もしくは音量を設定する。【選択図】図１
2009145430.tif 000002
【特許請求の範囲】
【請求項１】
楽器本体に設けられ、時間を計測する計時手段と、
当該計時手段で計測された時間に応じて、演奏環境を設定する設定手段と、
を備えていることを特徴とする電子楽器。
【請求項２】
前記計時手段は、前記時間として、時刻および演奏時間の少なくとも一方を計測し、
前記設定手段は、当該計測された時刻および演奏時間の少なくとも一方に応じて、当該電子楽器から発音される楽音の音質を設定することを特徴とする請求項１に記載の電子楽器。
【請求項３】
当該電子楽器の構成部品を照明する照明機器をさらに備え、
前記計時手段は、前記時間として、時刻を計測し、
前記設定手段は、当該計測された時刻に応じて、前記照明機器の照度を設定することを特徴とする請求項１に記載の電子楽器。
【請求項４】
前記計時手段は、前記時間として、時刻および演奏時間の少なくとも一方を計測し、
前記設定手段は、当該計測された時刻および演奏時間の少なくとも一方に応じて、当該電子楽器から発音される楽音の音量を設定することを特徴とする請求項１に記載の電子楽器。
【請求項５】
所定の演奏曲目によって自動演奏を行う自動演奏システムをさらに備え、
前記計時手段は、前記時間として、日時を計測し、
前記設定手段は、当該計測された日時に応じて、前記自動演奏される所定の演奏曲目を設定することを特徴とする請求項１に記載の電子楽器。
【発明の詳細な説明】
【技術分野】
【０００１】
本発明は、演奏環境を設定する機能を備えた電子楽器に関する。
【背景技術】
【０００２】
従来の電子楽器として、例えば、特許文献１に開示された電子楽器が知られている。この電子楽器では、鍵盤の押鍵および離鍵をキーセンサによって検出し、その検出結果に基づき、楽音の波形データによる楽音信号が生成される。また、操作パネルには、音量ボリュームや音色を変えるための各種のスイッチなどが設けられており、それらの操作状況に応じて、楽音の音量や音色、音質などが設定される。
【０００３】
しかし、この従来の電子楽器では、楽音の音量や音質などが、音量ボリュームや各種スイッチの操作状況に応じて、設定されるに過ぎない。一方、楽音の音量や音質などを、電子楽器が演奏される時刻や時間に応じて変更することが、演奏環境上、好ましい場合がある。にも拘わらず、従来の電子楽器では、このような要請に答えることはできない。
【０００４】
本発明は、このような課題を解決するためになされたものであり、演奏が行なわれている時刻や時間に適した演奏環境を自動的に設定することができる電子楽器を提供することを目的とする。
【０００５】
【特許文献１】特開２００７−２３２９１６号公報
【発明の開示】
【課題を解決するための手段】
【０００６】
この目的を達成するために、請求項１に係る発明の電子楽器は、楽器本体に設けられ、時間を計測する計時手段と、計時手段で計測された時間に応じて、演奏環境を設定する設定手段と、を備えていることを特徴とする。
【０００７】
この電子楽器によれば、楽器本体に設けられた計時手段によって、時間が計測され、計測された時間に応じて、電子楽器の演奏環境が設定される。これにより、演奏が行われている実際の時刻や時間に適した演奏環境を、演奏者の手を煩わすことなく自動的に設定できるので、演奏者は快適に演奏を行うことができる。また、計時手段が時刻を表示するために、すでに設けられている場合には、そのような既存の計時手段を利用するだけで、上述した作用を得ることができる。
【０００８】
請求項２に係る発明は、請求項１に記載の電子楽器において、前記計時手段は、前記時間として、時刻および演奏時間の少なくとも一方を計測し、前記設定手段は、当該計測された時刻および演奏時間の少なくとも一方に応じて、当該電子楽器から発音される楽音の音質を設定することを特徴とする。
【０００９】
この構成によれば、計時手段で計測された演奏時間に応じて、電子楽器から発音される楽音の音質が設定される。例えば、演奏が長時間続くと、疲労によって、演奏者は、特に高音域が聞き取り難くなることがある。このため、演奏時間が長いときに、高音域の周波数成分を強調するように音質を設定することにより、演奏音を明瞭に聞き取ることができるようになる。  
【００１０】
請求項３に係る発明は、請求項１に記載の電子楽器において、電子楽器の構成部品を照明する照明機器をさらに備え、計時手段は、時間として、時刻を計測し、設定手段は、計測された時刻に応じて、照明機器の照度を設定することを特徴とする。
【００１１】
この構成によれば、計時手段によって計測された時刻に応じて、構成部品を照明する照明機器の照度が設定される。これにより、例えば、構成部品が見難い夜間に照明機器の照度を高めることによって、電子楽器の構成部品を自動的に見やすくすることができる。
【００１２】
請求項４に係る発明は、請求項１に記載の電子楽器において、計時手段は、時間として、時刻および演奏時間の少なくとも一方を計測し、設定手段は、計測された時刻および演奏時間の少なくとも一方に応じて、電子楽器から発音される楽音の音量を設定することを特徴とする。
【００１３】
この構成によれば、計時手段によって計測された時刻および／または演奏時間に応じ、楽音の音量が設定される。これにより、例えば、計測された時刻が夜間のときに、音量を低く設定することによって、近隣への騒音を未然に防止することができる。あるいは、計測された演奏時間が長いときに、音量を低く設定することによって、長時間の演奏による弊害を防止することができる。
【００１４】
請求項５に係る発明は、請求項１に記載の電子楽器において、所定の演奏曲目によって自動演奏を行う自動演奏システムをさらに備え、計時手段は、時間として、日時を計測し、設定手段は、計測された日時に応じて、自動演奏される所定の演奏曲目を設定することを特徴とする。
【００１５】
この構成によれば、計時手段によって計測された日時（例えば、年、月、日、時間）に応じて、自動演奏システムで自動演奏される所定の演奏曲目が設定される。これにより、その日時に相応しい演奏曲目を自動的に選択して自動演奏を行うことができる。
【発明を実施するための最良の形態】
【００１６】
以下、図面を参照しながら、好ましい実施形態を詳細に説明する。図１は、本発明を適用した電子オルガン１０の構成を説明するブロック図である。同図に示すように、この電子オルガン１０は、鍵盤装置１、鍵盤スキャン回路２、音源回路３、波形メモリ９、操作パネル４、パネルスキャン回路５、ＣＰＵ６、ＲＯＭ７、ＲＡＭ８、波形メモリ９、ＤＳＰ１１、Ｄ／Ａ変換器１２、アンプ１３、スピーカ１４、タイマ１５（計時手段）、および照明装置１８（照明機器）を備え、これらは、同図に示すように電気的に接続されている。
【００１７】
鍵盤装置１は、複数の鍵１ａと、鍵１ａごとに設けられた押鍵センサ１ｂ（例えば光センサ）などで構成されており、通常演奏モード時に、鍵１ａの押鍵情報を押鍵センサ１ｂで検出し、その検出信号を鍵盤スキャン回路２に出力する。
【００１８】
鍵盤スキャン回路２は、押鍵センサ１ｂの検出信号に基づいて、鍵１ａのオン／オフ情報およびオン／オフされた鍵１ａを特定する情報を検出するとともに、これらの情報を鍵１ａの押鍵情報としてＣＰＵ（中央処理装置）６に出力する。ＣＰＵ６は、この鍵１ａの押鍵情報に基づいて、演奏データを作成し、音源回路３に出力する。音源回路３は、ＣＰＵ６からの信号に従って、波形メモリ９から楽音波形データを読み出すとともに、読み出した楽音波形データに基づいて、原音となる楽音信号を生成する。楽音信号は、ＤＳＰ（デジタル・シグナル・プロセッサ）１１により、所定の音響効果などが付加される。ＤＳＰ１１から出力された楽音信号は、Ｄ／Ａ変換器１２でデジタル信号からアナログ信号へ変換された後、アンプ１３で増幅され、スピーカ１４により放音される。
【００１９】
タイマ１５は、電子オルガン１０の本体（図示せず）に設けられており、所定の周期ごとにクロックをＣＰＵ６に出力する。ＲＯＭ７は、ＣＰＵ６で実行されるプログラムや、後述する自動演奏で用いられる自動演奏データなどを記憶している。ＲＡＭ８は、演奏環境の変更に関する情報などを一時的に記憶するとともに、ＣＰＵ６のワークエリアとしても使用される。ＣＰＵ６は、ＲＯＭ７に記憶されたプログラムを実行し、各種処理を行う。
【００２０】
操作パネル４には、ＬＣＤで構成される表示部４ａ（図４参照）、表示部４ａの表示を切り替えるための表示切替スイッチ、年月日および時間などを入力する入力ボタンや音量を設定するためのボリューム（いずれも図示省略）などが設けられている。照明装置１８は、電子オルガン１０の構成部品、例えば、操作パネル４に設けられた設定ボタン（図示省略）、表示部４ａや譜面台２０（図４参照）などを照明するものである。
【００２１】
図２は、ＣＰＵ６によって実行される演奏環境の設定処理を示すフローチャートである。本処理は、所定時間ごとに実行される。本処理では、まず、ステップ１（「Ｓ１」と図示、以下同じ）において、タイマ１５からのクロック信号に基づき、年月日を含む現在時刻ＴＭを算出し、ステップ２において、電子オルガン１０の演奏時間ＴＭＰを算出する。この演奏時間ＴＭＰの算出は、例えば、鍵盤スキャン回路２から鍵１ａのオン情報が出力されている時間を計測することによって行われる。
【００２２】
次に、ステップ３では、算出した演奏時間ＴＭＰが、第１の所定時間ＴＭＴ１（例えば、６０分）を超えているか否かを判別する。この判別結果がＹＥＳのときには、ＤＳＰ１１により、演奏時間ＴＭＰに応じた音質変更を行い（ステップ４）、ステップ５に進む。ステップ３の判別結果がＮＯのときには、そのままステップ５に進む。
【００２３】
図３（ｂ）は、この音質変更により設定される周波数特性の一例を示している。この例では、同図（ａ）に示す通常の周波数特性よりも、高音域が強調されている。このような設定により、演奏者は、演奏が長時間続いたために、疲労によって高音域を聞き取り難くなっている場合でも、演奏音を明瞭に聞き取ることができる。
【００２４】
ステップ５では、現在時刻ＴＭが、所定時刻ＴＭ１およびＴＭ２（例えば、それぞれ２２時、８時）で規定される、夜間に相当する所定の第１時間帯にあるか否かを判別する。この判別結果がＮＯで、現在時刻ＴＭが第１時間帯になければ、そのままステップ７に進む一方、第１時間帯にあるときには、時間帯に応じた音質変更を行う（ステップ６）。
【００２５】
図３（ｃ）は、この音質変更により設定される周波数特性の一例を示している。この例では、同図（ａ）に示す通常の周波数特性よりも、低音域が強調されている。このような設定により、例えば、夜間において、落ち着いた音質で演奏を楽しむことができる。
【００２６】
なお、前記ステップ３および５の判別結果がＹＥＳのとき、すなわち、演奏時間ＴＭＰが第１の所定時間ＴＭＴ１を超え、且つ、現在時刻ＴＭが所定の第１時間帯にあるときに、図３（ｄ）に示すように、それぞれの条件で設定されている周波数特性を合成し、低音域および高音域の両方を強調することや、もしくは、中間音域を相対的に減衰させることによって、メリハリのある音質を得るようにしてもよい。以上のように、現在時刻ＴＭや演奏時間ＴＭＰに応じて周波数特性を自動的に変更することにより、そのときに相応しい音質によって演奏を行うことができる。
【００２７】
次に、ステップ７では、現在時刻ＴＭが所定時刻ＴＭ３およびＴＭ４（例えば、それぞれ２０時、７時）で規定される、夜間に相当する所定の第２時間帯にあるか否かを判別する。この判別結果がＮＯであれば、そのままステップ９に進む一方、ＹＥＳのときには、照明装置１８の照度変更を行う（ステップ８）。具体的には、図４に示すように、夜間の照度（同図(ａ））を昼間の照度（同図（ｂ））よりも高くすることによって、照明される操作パネル４の設定ボタン（図示省略）、表示部４ａや譜面台２０を見やすくする。
【００２８】
次に、ステップ９では、演奏時間ＴＭＰが、第２の所定時間ＴＭＴ２（例えば、９０分）を超えているか否かを判別する。この判別結果がＮＯのときには、演奏時間音量係数Ｋ１を１.０に設定する（ステップ１０）一方、ＹＥＳのときには、演奏時間音量係数Ｋ１を、演奏時間ＴＭＰに応じて算出する（ステップ１１）。
【００２９】
図５は、この演奏時間音量係数Ｋ１を算出するテーブルである。このテーブルでは、Ｋ１は、値１．０よりも小さいとともに、演奏時間ＴＭＰが長いほど、より小さな値になるように段階的に設定されている。
【００３０】
前記ステップ１０または１１に続くステップ１２では、現在時刻ＴＭが所定時刻ＴＭ５およびＴＭ６（例えば、それぞれ２１時、７時）で規定される、夜間に相当する所定の第３時間帯にあるか否かを判別する。この判別結果がＮＯであれば、時間帯音量係数Ｋ２を１.０に設定する（ステップ１３）一方、ＹＥＳのときには、時間帯音量係数Ｋ２を現在時刻ＴＭに応じて算出する（ステップ１４）。
【００３１】
図６は、この時間帯音量係数Ｋ２を算出するテーブルである。このテーブルでは、Ｋ２は、値１．０よりも小さいとともに、第３時間帯の中間の時刻（深夜）に近いほど、より小さな値になるように段階的に設定されている。
【００３２】
次に、ステップ１５では、操作パネル４のボリュームによって設定される音量の基本値ＶＢに、算出した係数Ｋ１およびＫ２を乗じることによって、音量Ｖを算出（変更）する（Ｖ＝ＶＢ×Ｋ１×Ｋ２）。
【００３３】
以上のように、演奏時間ＴＭＰが第２の所定時間ＴＭＴ２を超えたときに、演奏時間音量係数Ｋ１を前述したように小さな値に設定することによって、演奏時間ＴＭＰが長いほど、音量Ｖが低減される。したがって、長時間の演奏による弊害、例えば、長時間の演奏に伴って、いつのまにか、より大きな音を出していることに起因する聴力への悪影響や、近隣への騒音を防止することができる。
【００３４】
また、現在時刻ＴＭが夜間に相当する第３時間帯にあるときに、時間帯音量係数Ｋ２を前述したように小さな値に設定することによって、真夜中に近いほど、音量Ｖが低減されるので、夜間での騒音を防止することができる。
【００３５】
次に、ステップ１６では、自動演奏モードが設定されているか否かを判別する。この判別結果がＹＥＳのときには自動演奏処理を行った（ステップ１７）後、ＮＯのときには、そのまま、本処理を終了する。
【００３６】
図７は、この自動演奏処理を示すフローチャートである。本処理では、算出した現在時刻ＴＭに基づいて、季節を判別し（ステップ１８）、当該現在時刻ＴＭに基づく「日」が、特定日などに相当するか否かを判別する（ステップ１９）。この特定日は、誕生日や結婚記念日や演奏者にとっての特別な日であり、操作パネル４に設けられた入力装置（図示す省略）により入力される。次に、現在時刻ＴＭと判別した季節や特定日に応じて、ＲＯＭ７に記憶された所定の演奏曲目の中から演奏曲目を選択し（ステップ２０）、選択された演奏曲目を再生する（ステップ２１）ことによって、自動演奏を行う。  
【００３７】
例えば、現在時刻ＴＭが朝の時間帯では、目覚めに良い曲目が選択され、夜の時間帯では、静かで落ち着いた曲目が選択される。また、夏季には夏向けの曲目が選択され、クリスマスの季節にはクリスマスソングが選択され、さらには、誕生日などの特定日にちなんだ曲目が選択されるなど、時刻、季節や特定日に相応しい演奏曲目を自動的に選択して、自動演奏を行うことができる。
【００３８】
なお、実施形態では、現在時刻ＴＭや演奏時間ＴＭＰに応じて、音質、照明装置の照度、音量および自動演奏の曲目の計４つをすべて変更しているが、これらの少なくとも１つを変更してもよく、さらに、その選択を演奏者が行えるようにしてもよい。あるいは、演奏環境として、これら４つ以外のもの、例えば、ディスプレーや照明の色を設定するようにしてもよい。また、実施形態では、時間帯を定める時刻（ＴＭ１やＴＭ２など）や演奏時間ＴＭＰの長さを判定するための時間（ＴＭＴ１など）が所定値として設定されているが、これらを演奏者が設定できるようにしてもよい。図８は、この設定を行うために、表示部４ａに表示される画面の例である。
【００３９】
さらに、実施形態は電子オルガンの例であるが、これに限らず、本発明は、他の電子楽器、例えば、電子ピアノやキーボードなどに適用してもよいことはもちろんである。その他、本発明の趣旨の範囲内で、細部の構成を適宜、変更することが可能である。
【図面の簡単な説明】
【００４０】
【図１】本発明の電子楽器の回路構成を示すブロック図である。
【図２】演奏環境の設定処理を示すフローチャートである。
【図３】互いに異なる楽音の複数種類の周波数特性を示す図である。
【図４】照明装置の照度の（ａ）変更後および（ｂ）変更前の状況図である。
【図５】演奏時間音量係数を算出するためのテーブルの一例である。
【図６】時間帯音量係数を算出するためのテーブルの一例である。
【図７】自動演奏処理を示すフローチャートである。
【図８】演奏環境設定のために表示部に示される画面の一例である。
【符号の説明】
【００４１】
４ａ  表示部（構成部品）
６  ＣＰＵ（設定手段）
１０  電子オルガン（電子楽器）
１５  タイマ（計時手段）
１８  照明装置（照明機器）
２０  譜面台（構成部品）
【図１】
2009145430.tif 000003
【図２】
2009145430.tif 000004
【図３】
2009145430.tif 000005
【図４】
2009145430.tif 000006
【図５】
2009145430.tif 000007
【図６】
2009145430.tif 000008
【図７】
2009145430.tif 000009
【図８】
2009145430.tif 000010